(57)【要約】【課題】ゴルフボール等の打球が当たったときの衝撃を良好に吸収でき、跳ね返りや衝撃音による問題を解消できる壁面パネルを提供する。【解決手段】壁面パネル１７は、弾性を有する素材で外枠フレーム状に構成されて内側に空間３５、３５が形成されたフレーム状クッション部２５と、その両側の中実クッション部２７、２９との三層構造に、カバー３１が表面側から被せられている。この裏面に取付けられた面ファスナー３３で壁面に固定される。ゴルフボール２１が衝突したときには、カバー３１が、フレーム状クッション部２５の縁側を弾性的に圧縮させながら撓んで空間３５に沈み込んでいく。従って、衝撃を吸収して跳ね返しを抑えると共に、硬めのフレーム状クッション部２５の圧縮変形も抑えられて衝撃音を小さくできる。【選択図】  図４
2020176471.tif 000002
【特許請求の範囲】
【請求項１】
粘弾性を有する素材で外枠フレーム状に構成されて内側に空間を有するクッション部と、前記クッション部に表面側から被せて前記空間を空洞とするカバーと、壁面への固定手段を備えており、
ボールが衝突したときには、前記カバーが前記クッション部の縁側を弾性的に圧縮させながら撓んで前記空洞に沈み込んでいくことを特徴とする壁面パネル。
【請求項２】
請求項１に記載した壁面パネルにおいて、
カバーとフレーム状クッション部との間にプレート状の中実クッション部が介装され、前記フレーム状クッション部の背面側に別のプレート状の中実クッション部が当てられて、クッション部が三層構造になっており、
前記中実のクッション部は前記フレーム状クッション部よりも柔らかめの素材で構成されていることを特徴とする側面用に適した壁面パネル。
【請求項３】
請求項２に記載した壁面パネルにおいて、
背面側で表出した中実クッション部の裏面に面ファスナーが取付けられており、前記面ファスナーが壁面への固定手段を構成していることを特徴とする壁面パネル。
【請求項４】
請求項２に記載した壁面パネルにおいて、
カバーが袋状になって、背面側にクッション部の出し入れ用のスリットが形成されると共に面ファスナーが取付けられており、前記面ファスナーが壁面への固定手段を構成していることを特徴とする壁面パネル。
【請求項５】
請求項１に記載した壁面パネルにおいて、
フレーム状クッション部の背面側に、前記フレーム状クッション部の内側の空間に対応した空間を有するフレーム状補強部を介して背当て部が重ね合され、前記補強部または前記背当て部には外方に延出する固定片が取付けられており、前記固定片に形成されたネジ挿通孔に挿通される止めネジが壁面への固定手段を構成していることを特徴とする天井面用に適した壁面パネル。
【請求項６】
請求項５に記載した壁面パネルにおいて、
補強部の外縁に対して背当て部の外縁が後退して段差が形成され、且つ、固定片が前記背当て部の対向する両側から延長上で重ならない位置でそれぞれ複数前記段差に取付けられており、
平面方向に隣り合って配置された壁面パネルのうち一方の壁面パネル側の一方側の固定片が壁面に重ね合されて固定され、他方側の固定片が他方の壁面パネルの背面側に当該他方の壁面パネルの一方側の段差から入り込むことで、当該一方の壁面パネルが両持ち支持されることを特徴とする壁面パネル。
【請求項７】
請求項５に記載した壁面パネルにおいて、
固定片が背当て部の両側にそれぞれ取付けられており、一方側の固定片は壁面パネルの厚さ方向に沿って垂直に屈曲して前記壁面パネルの表面から延出しており、他方側の固定片は平面方向に延出しており、
前記一方側の固定片が側面に重ね合されて固定され、前記他方側の固定片が天井面に重ね合されて固定されて、天井面と側面の境目に寄せて配置されることを特徴とする壁面パネル。
【請求項８】
請求項５から７のいずれかに記載した壁面パネルにおいて、
フレーム状クッション部とその背面側の補強部と背当て部には、空間を中央で仕切る仕切り部が設けられ、前記仕切り部にはネジ挿通孔が形成されており、前記ネジ挿通孔に挿通される止めネジが壁面への固定手段を構成していることを特徴とする天井面用に適した壁面パネル。
【請求項９】
請求項５から８のいずれかに記載した壁面パネルにおいて、
背当て部の裏面に面ファスナーが取付けられており、前記面ファスナーが壁面への固定手段を構成していることを特徴とする壁面パネル。
【発明の詳細な説明】
【技術分野】
【０００１】
本発明は、ゴルフ場やゲームセンター、住宅の室内等におけるゴルフや野球の打撃練習領域の壁面にボールの衝撃の緩和用に取付けられる壁面パネルに関するものである。
【背景技術】
【０００２】
屋内（室内）空間の正面に設けられたスクリーンにプロジェクタ等により投影された仮想のゴルフコースに向って、プレイヤーが実際のゴルフボールを実際のクラブで打って打つ時の姿勢やボールの飛び方を疑似的に体感してチェックするゴルフ練習装置が知られている（例えば特許文献１参照）。
クラブのヘッドスピードやボールの飛翔速度、飛距離がドップラーセンサ等により測定され、測定データに基づいて仮想空間内を仮想球が飛んで行く様子をシミュレートするものである。
この種の練習装置における練習領域（練習空間）は、スクリーンの両側の側壁、天井及び床面に囲まれた直方体状の閉空間となっている。ショット後のボールはその全てがスクリーンに向って飛ぶとは限らず、ミスショットした場合には、天井面や側面に当たって跳ね返ったり、衝撃音を発生する。これを放置すれば、ボールがプレイヤーに当たったり、あるいは練習領域外に転がっていったり、衝撃音が他の居住領域まで響いて騒音となる恐れがある。
【先行技術文献】
【特許文献】
【０００３】
【特許文献１】特開２０１１−３０６６９号公報
【発明の概要】
【発明が解決しようとする課題】
【０００４】
この対策として、天井や側壁にクッション材が取付けられている。図１８では、この一例として、壁面１００に貼着されたクッション材１０２にゴルフボール２１が衝突するようになっており、クッション材１０２の素材としては、軟質のウレタンフォームが使用されている。
しかしながら、効果は未だ満足できるものではなく、ウレタンフォームの低反発弾性や吸音性だけに頼っていたのでは限界がある。
【０００５】
本発明はこのような現状に鑑みて創案されたもので、構造的工夫を凝らすことで、素材の特性と協働して、ボールが当たったときの衝撃を良好に吸収でき、跳ね返りや衝撃音による問題を効果的に解消できる壁面パネルの提供を、その目的とする。
【課題を解決するための手段】
【０００６】
本発明は、上記目的を達成するために為されたものであり、請求項１の発明は、粘弾性を有する素材で外枠フレーム状に構成されて内側に空間を有するクッション部と、前記クッション部に表面側から被せて前記空間を空洞とするカバーと、壁面への固定手段を備えており、ボールが衝突したときには、前記カバーが前記クッション部の縁側を弾性的に圧縮させながら撓んで前記空洞に沈み込んでいくことを特徴とする壁面パネルである。
【０００７】
請求項２の発明は、請求項１に記載した壁面パネルにおいて、カバーとフレーム状クッション部との間にプレート状の中実クッション部が介装され、前記フレーム状クッション部の背面側に別のプレート状の中実クッション部が当てられて、クッション部が三層構造になっており、前記中実のクッション部は前記フレーム状クッション部よりも柔らかめの素材で構成されていることを特徴とする側面用に適した壁面パネルである。
【０００８】
請求項３の発明は、請求項２に記載した壁面パネルにおいて、背面側で表出した中実クッション部の裏面に面ファスナーが取付けられており、前記面ファスナーが壁面への固定手段を構成していることを特徴とする壁面パネルである。
【０００９】
請求項４の発明は、請求項２に記載した壁面パネルにおいて、カバーが袋状になって、背面側にクッション部の出し入れ用のスリットが形成されると共に面ファスナーが取付けられており、前記面ファスナーが壁面への固定手段を構成していることを特徴とする壁面パネルである。
【００１０】
請求項５の発明は、請求項１に記載した壁面パネルにおいて、フレーム状クッション部の背面側に、前記フレーム状クッション部の内側の空間に対応した空間を有するフレーム状補強部を介して背当て部が重ね合され、前記補強部または前記背当て部には外方に延出する固定片が取付けられており、前記固定片に形成されたネジ挿通孔に挿通される止めネジが壁面への固定手段を構成していることを特徴とする天井面用に適した壁面パネルである。
【００１１】
請求項６の発明は、請求項５に記載した壁面パネルにおいて、補強部の外縁に対して背当て部の外縁が後退して段差が形成され、且つ、固定片が前記背当て部の対向する両側から延長上で重ならない位置でそれぞれ複数前記段差に取付けられており、平面方向に隣り合って配置された壁面パネルのうち一方の壁面パネル側の一方側の固定片が壁面に重ね合されて固定され、他方側の固定片が他方の壁面パネルの背面側に当該他方の壁面パネルの一方側の段差から入り込むことで、当該一方の壁面パネルが両持ち支持されることを特徴とする壁面パネルである。
【００１２】
請求項７の発明は、請求項５に記載した壁面パネルにおいて、固定片が背当て部の両側にそれぞれ取付けられており、一方側の固定片は壁面パネルの厚さ方向に沿って垂直に屈曲して前記壁面パネルの表面から延出しており、他方側の固定片は平面方向に延出しており、前記一方側の固定片が側面に重ね合されて固定され、前記他方側の固定片が天井面に重ね合されて固定されて、天井面と側面の境目に寄せて配置されることを特徴とする壁面パネルである。
【００１３】
請求項８の発明は、請求項５から７のいずれかに記載した壁面パネルにおいて、フレーム状クッション部とその背面側の補強部と背当て部には、空間を中央で仕切る仕切り部が設けられ、前記仕切り部にはネジ挿通孔が形成されており、前記ネジ挿通孔に挿通される止めネジが壁面への固定手段を構成していることを特徴とする天井面用に適した壁面パネルである。
【００１４】
請求項９の発明は、請求項５から８のいずれかに記載した壁面パネルにおいて、背当て部の裏面に面ファスナーが取付けられており、前記面ファスナーが壁面への固定手段を構成していることを特徴とする壁面パネルである。
【発明の効果】
【００１５】
本発明の壁面パネルによれば、ボールが当たったときの衝撃を良好に吸収でき、跳ね返りや衝撃音による問題を効果的に解消できる。
【図面の簡単な説明】
【００１６】
【図１】本発明の実施の形態に係る壁面パネルを配置したゴルフ練習領域の壁面構造の斜視図である。
【図２】図１で示した壁面構造の側面に取付けられる側面用の壁面パネルの分解斜視図である。
【図３】図２で示した壁面パネルの裏面側から見た斜視図である。
【図４】図３で示した壁面パネルの使用状態を示す図で、（ａ）は側面に取付けた状態の図３におけるＸ１−Ｘ１線での断面図、（ｂ）はゴルフボールが当たったときの衝撃吸収動作を示す断面図である。
【図５】図１で示した壁面構造の天井面に取付けられる天井面用の壁面パネルの分解斜視図である。
【図６】図５で示した壁面パネルの裏面側から見た斜視図である。
【図７】図６で示した壁面パネルの使用状態を示す図で、（ａ）は天井面に取付けた状態の図６におけるＸ２−Ｘ２線での断面図、（ｂ）はゴルフボールが当たったときの衝撃吸収動作を示す断面図である。
【図８】その他の実施の形態に係る側面用の壁面パネルの分解斜視図である。
【図９】図８で示した壁面パネルの使用状態を示す図で、（ａ）は側面に取付けた状態の図８におけるＸ３−Ｘ３線での断面図、（ｂ）は側面に取付ける前または離脱後の状態を示す断面図である。
【図１０】図９で示した側面用の壁面パネルと、その他の実施の形態に係る天井面用の壁面パネルの斜視図である。
【図１１】図１０で示した天井面用の壁面パネルの分解斜視図である。
【図１２】図１０で示した壁面パネルの使用状態を示す図で、天井面に取付けた状態の図１０におけるＸ４−Ｘ４線での断面図である。
【図１３】図１０で示した壁面パネルの、図１０におけるＸ４−Ｘ４線での断面斜視図である。
【図１４】図１０で示した壁面パネルのうち、角用の壁面パネルの固定構成を示す斜視図である。
【図１５】図１０で示した壁面パネルの中央部の固定構成を示す図で、図１４のＸ５−Ｘ５線での断面図である。
【図１６】図８で示した壁面パネルを側面に配置固定し、図１０で示した壁面パネルを天井面に配置固定する際の工程初期の状態を示す斜視図である。
【図１７】図１６の工程が完了した後の壁面構造を示す斜視図である。
【図１８】従来のクッション材の問題点を説明するための概要側面図で、（ａ）はゴルフボールがクッション材に当たる前の状態を示す図、（ｂ）はゴルフボールがクッション材に当たったときの状態を示す図である。
【発明を実施するための形態】
【００１７】
以下、本発明の実施の形態に係る壁面パネルを図面にしたがって説明する。
図１は、ゴルフ練習場やゲームセンター、あるいは住宅の室内に設けられたゴルフ練習領域１を示している。ゴルフ練習領域１は、正面に設けられたスクリーン３と、スクリーン３の三方を筒状に囲む壁面構造５と、床面７とから構成され、直方体状の閉空間としてなる。
壁面構造５は、天井面９に固定される複数の天井面用の壁面パネル１１と、天井面９に垂直な側面１３、１５に固定される複数の側面用の壁面パネル１７とから構成されている。天井面用の壁面パネル１１と側面用の壁面パネル１７は天井面９や側面１３、１５に対して着脱自在に固定されている。
【００１８】
床面７には練習マット１９が置かれ、練習マット１９上にセットされた実際のゴルフボール２１をプレイヤーＰが実際のクラブ２３でスクリーン３に向って打つようになっている。
スクリーン３には不図示のプロジェクタにより仮想のゴルフコースが投影されており、プレイヤーＰがスクリーン３に向ってゴルフボール２１を打つと、不図示の各センサにより各種のデータが測定され、これらのデータに基づいて打つ時の姿勢やボールの飛び方等がスクリーン３上でシミュレートされる。スクリーン３はゴルフボール２１が当たっても損傷しない透明の合成樹脂材料で形成されている。
プレイヤーＰが打ったゴルフボール２１はその全てがスクリーン３に当たるとは限らず、図１に示すように、ミスショットした場合には天井面９に向ったり側面１３、１５に向ったりする。
【００１９】
図２、図３に示すように、側面用の壁面パネル１７は、フレーム状クッション部２５と、フレーム状クッション部２５の表面側を覆うように積層され、フレーム状クッション部２５よりも薄肉のプレート状の中実クッション部２７と、フレーム状クッション部２５の背面側を覆うように積層され、フレーム状クッション部２５よりも薄肉のプレート状の中実クッション部２９とで三層構造になっており、接着等の手段により一体化されている。この構造体は、外縁が揃えられて、長方形の厚板状をなす。
カバー３１は蓋無しの箱状に立体化されており、上記した三層構造体に被せられており、中実クッション部２９の裏面だけが表出した状態になっている。中実クッション部２９の裏面には、側面１３、１５への固定手段としての帯状の面ファスナー３３が外縁に沿って取付けられている。符号３３ａは横ファスナーを、３３ｂは縦ファスナーを示している。
フレーム状クッション部２５は、外枠フレーム状に構成されており、内側に空間を有するが、補強用横架部２５ａで仕切られて、上下で２つの空間３５、３５に分かれている。
【００２０】
本実施の形態における中実クッション部２７、２９の厚みｔ１は３０ｍｍ〜４０ｍｍで、フレーム状クッション部２５の厚みｔ２は４０ｍｍ〜５０ｍｍである。
クッション部２５、２７、２９は、いずれも粘弾性を有する素材であるウレタンフォームで形成されているが、中実クッション部２７、２９はフレーム状クッション部２５よりも柔らかめの種類が選択されている。
フレーム状クッション部２５の素材として、例えば、イノアックコーポレーション社製のカラーフォーム一般品で、品種ＥＣＡ、密度２６±２（ｋｇ／ｍ３）、硬さ１２７．５±２４．５（Ｎ／３１４ｃｍ２）を採用することができる。
中実クッション部２７、２９の素材として、例えば、イノアックコーポレーション社製のカラーフォーム一般品で、品種ＥＣＭ、密度２１±２（ｋｇ／ｍ３）、硬さ１１７．７±２０．６（Ｎ／３１４ｃｍ２）を採用することができる。
カバー３１は、柔軟且つ弾性がある表皮材で形成されており、素材として、例えばビニールレザーを採用することができる。
【００２１】
図４（ａ）に示すように、壁面パネル１７は面ファスナー３３を介して側面１３に固定される。側面１３には予め面ファスナー３３に係合する面ファスナー３７が取付けられており、壁面パネル１７は側面１３にワンタッチ的な簡単な操作で着脱される。図４において、符号３７ａは横ファスナーを、３７ｂは縦ファスナーを示している。面ファスナー３３と面ファスナー３７は一方がオスで他方がメスの係合関係にある。
【００２２】
ミスショットで側面１３に向ったゴルフボール２１は壁面パネル１７に高速で当たる。
壁面パネル１７にゴルフボール２１が当たると、図４（ｂ）に示すように、カバー３１は中実クッション部２７と共に、ゴルフボール２１を受け止めて空洞化した空間３５に撓んで沈み込む。空間３５は十分な面積及び深さを有しており、且つフレーム状クッション部２５の縁側も弾性的に圧縮可能なため、緩やかなカーブを描いて撓む。中実クッション部２７による裏当て機能も緩やかなカーブを描くのを助ける。加えて、フレーム状クッション部２５側が側面１３側に押されても、中実クッション部２９が受け止める。そのため、衝撃が大幅に緩和されて、低反発性が実現される。また、特に衝撃を中心となって受け止めるフレーム状クッション部２５の板厚方向の圧縮変形が抑えられる。
従って、ゴルフボール２１の跳ね返りは殆どなく、壁面パネル１７に近い床面７に静かに落下すると共に、衝撃音も小さくなる。
壁面パネル１７についての上記の構成及び効果は、側面１５に固定される場合においても同様である。
【００２３】
天井面用の壁面パネル１１は、図５、図６に示すように、フレーム状クッション部２５と同様に、フレーム状クッション部３９も、内側の空間が補強用横架部３９ａで仕切られており、空間４７、４７ができている。フレーム状クッション部３９の背面側に板状補強部４１が積層されて、全体として長方形の厚板状をなす。
板状補強部４１は、フレーム状補強部４１Ａとプレート状背当て部４１Ｂとからなる。フレーム状補強部４１Ａも仕切られており、フレーム状クッション部３９の内側の空間４７、４７に対応したサイズの空間４２、４２が形成されている。プレート状背当て部４１Ｂはフレーム状補強部４１Ａより相似状に若干小さくなっており、中心を合わせて積層されるので、周囲に段差ができる。
フレーム状補強部４１Ａは厚みが５ｍｍ程度のベニヤ板から構成され、プレート状背当て部４１Ｂは厚みが９ｍｍ程度のベニヤ板から構成されている。
【００２４】
固定片４３がプレート状背当て部４１Ｂの裏面に取付けられている。固定片４３は長方形の板状になっており、長手方向のほぼ半分が外方に延出するように取付けられている。そして、延出した部分にネジ挿通孔４３ａが形成されている。２つの固定片４３はプレート状背当て部４１Ｂの一方の長辺縁から所定の間隔をあけて取付けられている。このネジ挿通孔４３ａに挿通させて天井面９に止めネジ５１（図７参照）を固定するようになっている。なお、本実施の形態における止めネジは全てタッピングネジである。
カバー３１と同様のカバー４５はシート状に展開され、この裏面にフレーム状クッション部３９が置かれ、その上にフレーム状補強部４１Ａが外縁を揃えた状態で重ね合される。そして、カバー４５の縁側がこれらを包むように折り返され、タッカ４９（図６参照）で止められる。そして、その上にプレート状背当て部４１Ｂが重ね合され、接着等の手段により一体化されている。
【００２５】
図７（ａ）に示すように、天井面用の壁面パネル１１は固定片４３を介して止めネジ５１により天井面９に片持ち状態で固定される。天井面９への取付けでは自重の影響が大きいが、剛性の板状補強部４１により支持されて垂れ下がらないようになっている。
ミスショットで天井面９に向ったゴルフボール２１は天井面用の壁面パネル１１に高速で当たる。
壁面パネル１１にゴルフボール２１が当たると、図７（ｂ）に示すように、カバー４５はゴルフボール２１を受け止めて空洞化した空間４７内に撓んで沈み込む。中実クッション部２７、２９は無いが、ゴルフボール２１が壁面パネル１１に到達するまでに速度が幾分落ちていることもあり、衝撃は十分に緩和される。また、フレーム状クッション部３９の板厚方向の圧縮変形も抑えられる。
そのため、ゴルフボール２１は床面７に自然落下に近い状態で落下すると共に、衝撃音も小さくなる。
【００２６】
以下に、本発明のその他の実施の形態を示す。なお、上記の実施の形態と同一部分は同一符号で示し、既にした構成上及び機能上の説明は適宜省略する。
【００２７】
図８に示すように、この実施の形態における側面用の壁面パネル５３では、カバー３１と同様のカバー５５は、六面体に成形された袋状になっており、その背面部５５ａの中央部には縦長のスリット５５ｂが形成されている。クッション部２５、２７、２９は柔軟性を有しているので、折り曲げてスリット５５ｂから押し込んでカバー５５内に収容することができる。収容後はクッション部２５、２７、２９の形状が復元し、カバー５５の内部で密接状態となって一体化され、スリット５５ｂから飛び出すおそれがない。
面ファスナー３３はカバー５５の背面部５５ａの外面に取付けられている。
【００２８】
図９に示すように、本実施の形態においても、壁面パネル５３は側面１３に壁面パネル５３側の面ファスナー３３、側面１３側の面ファスナー３７を介してワンタッチ的な簡単な操作で着脱できる。
本実施の形態の壁面パネル５３においても、上記の壁面パネル１７と同様の衝撃緩和機能及び衝撃音抑制機能を得ることができる。
【００２９】
図１０〜図１５は、天井面用の壁面パネルのその他の実施の形態を示している。図１０、図１１に示すように、この実施の形態における天井面用の壁面パネル５７は、壁面パネル５７Ａと、側面１３、１５と交差する境目に寄せる壁面パネル５７Ｂとの２種類からなる。
壁面パネル５７Ａでは、フレーム状クッション部５９はフレーム状クッション部２５と同じ材料で形成されている。補強用横架部５９ａで仕切られ、２つの空間６７、６７に分かれている。
フレーム状クッション部５９の平面形状は正方形に近くなっている。この背面側に板状補強部６１が板状補強部４１と同様に積層されている。板状補強部６１はフレーム状補強部６１Ａとフレーム状背当て部６１Ｂとからなる。フレーム状背当て部６１Ｂはフレーム状補強部６１Ａと相似形で若干小さくなっており、中心を合わせて積層されるので、周囲に段差ができる。
【００３０】
フレーム状補強部６１Ａとフレーム状背当て部６１Ｂは仕切られており、フレーム状補強部６１Ａにはフレーム状クッション部５９の内側の空間６７、６７に対応したサイズの空間６９、６９が形成され、フレーム状背当て部６１Ｂには同様に空間７１、７１が形成されている。フレーム状背当て部６１Ｂの裏面には、面ファスナー７３が取付けられている。面ファスナー７３は横ファスナー７３ａと縦ファスナー７３ｂとからなる（図１０等では省略）。
フレーム状補強部６１Ａとフレーム状背当て部６１Ｂは、それぞれ、フレーム状補強部４１Ａ、プレート状背当て部４１Ｂと同じベニヤ板から構成されている。
【００３１】
固定片６３は、フレーム状補強部６１Ａの裏面側に、止めネジ７７（図１２参照）を利用して取付けられている。固定片４３と同様に、固定片６３は外方に延出しており、そこに２つのネジ挿通孔６３ａが形成されている。この固定片６３は、３つで一組となって、所定の間隔をあけて一つの辺縁に取付けられている。また、対向する一対の辺縁にそれぞれ取付けられており、合計で６つの固定片６３が取付けられている。空間６９、６９が長方形になっており、長手方向と直角に交差する方向に二組の固定片６３、６３、６３が配置されている。但し、一方の辺縁に取付けられた固定片６３、６３、６３は他方の辺縁に取付けられた固定片６３、６３、６３とは延長上で重ならないよう互い違いに配置されている。
【００３２】
カバー３１と同様のカバー６５はシート状に展開されており、この裏面にフレーム状クッション部５９が置かれ、その上にフレーム状補強部６１Ａが外縁と空間６７、６９を揃えて積層される。そして、カバー６５の縁側がこれらを包むように折り返され、タッカ４９（図１０参照）で止められる。その上に、フレーム状背当て部６１Ｂが空間６９、７１を対向させて重ね合され、接着等の手段により一体化される。
そして、フレーム状背当て部６１Ｂの外縁に突き当てるように、固定片６３、６３、……が重ね合されて、フレーム状補強部６１Ａに対して止めネジ７７で固定されている。
フレーム状背当て部６１Ｂとフレーム状補強部６１Ａの仕切り部を貫通して引込み穴Ｈが所定の間隔をあけて２つ設けられており、一体化状態ではそれぞれ連通している。図１５に示すように、この位置を示すために、目印用の黒いパイピン８７が通されている。
【００３３】
壁面パネル５７Ａは、右側の固定片６３、６３、６３を利用して止めネジ７５で天井面９に対して固定されるようになっている。
また、壁面パネル５７Ａは左側の固定片６３、６３、６３と右側の固定片６３、６３、６３が互い違いになるようになっており、壁面パネル５７Ａ、５７Ａを左右の平面方向に隣り合った状態で寄せて並べた場合に、右側の固定片６３、６３、６３が天井面９への固定用に利用され、左側の固定片６３、６３、６３が隣り合った左側の壁面パネル５７Ａと天井面９との間の隙間に差し込まれ、フレーム状補強部６１Ａの裏面に載せられて、両持ち状態で吊下げ支持される。
【００３４】
壁面パネル５７Ｂは、壁面パネル５７Ａとほぼ同じ構成になっているが、一方側では、固定片６３に代えて固定片７９が取付けられている。この固定片７９は壁面パネル５７Ｂの厚さ方向に沿って垂直に折り曲げられており、先端側は壁面パネル５７Ｂの表面から延出している。固定片７９は、ネジ挿通孔７９ａを利用してフレーム状補強部６１Ａに対して止めネジ８１（図１４参照）で固定される。また、延出部分にはネジ挿通孔７９ｂが形成されており、これを利用して側面１３に対して止めネジ８３で固定される。壁面パネル５７Ｂの固定片７９の向きを変えれば、側面１５に対しても同じように取付けることができる。
【００３５】
次に、図１６及び図１７に基づいて、ゴルフ練習領域１における側面用の壁面パネル５３と天井面用の壁面パネル５７による施工例を説明する。
まず、図１６に示すように、側面１３、１５には横ファスナー３７ａと縦ファスナー３７ｂを貼着し、天井面９には横ファスナー８９ａと縦ファスナー８９ｂを貼着する。これらの面ファスナーは前方から後方、水平方向と通しで長く貼られており、貼着部位毎にその部位に取付ける壁面パネルの係合用に利用されている。
隣り合う一対の横ファスナー３７ａ、３７ａと隣り合う一対の縦ファスナー３７ｂ、３７ｂで四角枠状になった部分が一枚の壁面パネル５３の裏面に取付けられた一対の横ファスナー３３ａ、３３ａと縦ファスナー３３ｂ、３３ｂにそれぞれ係合する。
隣り合う一対の横ファスナー８９ａ、８９ａと隣り合う３列のうちの両側の２列で対向する一対の縦ファスナー８９ｂ、８９ｂで四角枠状になった部分が一枚の壁面パネル５７の裏面に取付けられた対向する一対の横ファスナー７３ａ、７３ａと隣り合う３列のうちの両側の２列で対向する一対の縦ファスナー７３ｂ、７３ｂにそれぞれ係合する。また、中間でも、縦ファスナー８９ｂが縦ファスナー７３ｂに係合する。
【００３６】
その後、例えば天井面９の奥行方向の最奥部の左角部に寄せて壁面パネル５７Ｂを固定する。最初に、天井面９の横ファスナー８９ａ、縦ファスナー８９ｂと壁面パネル５７Ｂの横ファスナー７３ａ、縦ファスナー７３ｂとの係合により仮止めされる。すなわち、手で支えなくても落下しない状態にされる。次に、止めネジ８３で各固定片７９を側面１３に固定し、止めネジ７５で他方側の各固定片６３を天井面９に固定する。また、中央部では、パイピン８７を周囲を広げながら引き抜き、引込み穴Ｈを利用して止めネジ８５で天井面９に固定する。この止めネジ８５はフレーム状クッション部５９内に埋没する。これにより壁面パネル５７Ｂが天井面９に取付けられる。
【００３７】
天井面９に取付けられた壁面パネル５７Ｂの右隣には、壁面パネル５７Ａが取付けられる。壁面パネル５７Ａの左側にくる固定片６３は天井面９には固定されず、壁面パネル５７Ｂの裏面に載せられ、右側にくる固定片６３が天井面９に固定される。更に、右側に別の壁面パネル５７Ａが上記と同様に並べて取付けられる。
その後、壁面パネル５７Ａが横方向に順次取付けられて連なっていく。そして、右側の角に配置される壁面パネル５７Ｂは、固定片６３が左隣の壁面パネル５７Ａの裏面に載せられ、面ファスナーの係合により位置決めされた状態で、止めネジ８３により固定片７９が側面１５に固定される。
載せられるだけの固定片６３にもネジ挿通孔６３ａが形成されているのは固定側を変えることを可能にするためである。
壁面パネル５７と壁面パネル５３の取付けが完了した状態を図１７に示す。これにより、衝撃緩和機能及び衝撃音抑制機能に優れた壁面構造９１を構成することができる。
【００３８】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施の形態では、ゴルフ練習領域を例示したが、野球のティー打撃やテニスの打撃練習領域においても同様に実施でき、同様の衝撃緩和効果を得ることができる。
【符号の説明】
【００３９】
１１、１７、５３、５７…壁面パネル  ２５、３９、５９…フレーム状クッション部
２７、２９…中実クッション部        ３１、４５、５５、６５…カバー
３３、７３…面ファスナー            ４１、６１…補強部        ６３、７９…固定片
【図１】
2020176471.tif 000003
【図２】
2020176471.tif 000004
【図３】
2020176471.tif 000005
【図４】
2020176471.tif 000006
【図５】
2020176471.tif 000007
【図６】
2020176471.tif 000008
【図７】
2020176471.tif 000009
【図８】
2020176471.tif 000010
【図９】
2020176471.tif 000011
【図１０】
2020176471.tif 000012
【図１１】
2020176471.tif 000013
【図１２】
2020176471.tif 000014
【図１３】
2020176471.tif 000015
【図１４】
2020176471.tif 000016
【図１５】
2020176471.tif 000017
【図１６】
2020176471.tif 000018
【図１７】
2020176471.tif 000019
【図１８】
2020176471.tif 000020